(57)【要約】【課題】面外方向から見た時に明るくライトアップされ、装飾された外観となり、浴室建具として用いた場合に浴室内を癒やし空間とすることが可能な建具とする。【解決手段】建具枠１と、この建具枠１に取付けた建具体２を備え、その建具体２の框組体２３に発光ダイオード４（照明器具）を、面材２４よりも面外方向他側寄りで、その面材２４と対向して取付け、この発光ダイオード４で面材２４を照明することによって、その面材２４を面外方向一側方から見た時に明るくライトアップされ、装飾された外観となるようにした建具で、浴室建具として浴室から見たときに面材２４が明るくライトアップされるようにすれば、浴室内を癒やしの空間とすることが可能である。【選択図】図２
2007321344.tif 000002
【特許請求の範囲】
【請求項１】
建具枠に建具体を取付けた建具であって、
前記建具枠と建具体の少なくとも一方に照明器具を設けてライトアップできるようにしたことを特徴とする建具。
【請求項２】
建具枠に、框組体に面材を取付けた建具体を取付けた建具であって、
前記框組体における面材よりも面外方向他側寄りに照明器具を、前記面材の面外方向他側面と対向して設け、
前記面材を光を透過するものとし、面外方向一側方から見た時に面材が、照明器具で、明るくライトアップされるようにしたことを特徴とする建具。
【請求項３】
框組体は、面材を取付けた框組本体と、照明器具を取付けた補助框組体を備え、
前記框組本体に補助框組体を取付けて照明器具で面材を明るくライトアップできるようにした請求項２記載の建具。
【請求項４】
建具枠に、框組体に面材を取付けた建具体を取付けた建具であって、
前記框組体に照明器具を、面材の面内方向の端面と対向して設け、
前記面材を光を透過するものとして面材の全体に亘って光が透過して面材を明るくライトアップできるようにしたことを特徴とする建具。
【請求項５】
框組体は、框組本体と、この框組本体に取付けた補助框組体を備え、
この補助框組体に面材と照明器具を取付けた請求項４記載の建具。
【請求項６】
建具枠に建具体を取付けした建具であって、
前記建具枠の枠と前記建具体の框の少なくとも一方に照明器具を、前記枠と框の少なくとも他方を明るくライトアップできるように設けたことを特徴とする建具。
【請求項７】
取付け部材に照明器具を設け、
この取付け部材を枠、框の少なくともいずれかに取付けた請求項６記載の建具。
【発明の詳細な説明】
【技術分野】
【０００１】
本発明は、浴室の出入口に取付ける浴室ドア、室の窓開口に取付ける引違い窓などの建物の開口部に取付ける建具に関する。
【背景技術】
【０００２】
建物の開口部に取付ける建具は、建具枠に扉、ドア、障子などの建具体を取付けたものが一般的である。
例えば特許文献１に開示されたドア枠（建具枠）にドア（建具体）を開閉自在に取付けた浴室ドアが知られている。
【０００３】
【特許文献１】特開２００４−３２４４０２号公報
【発明の開示】
【発明が解決しようとする課題】
【０００４】
近年、浴室内を、入浴者の心と体を癒す快適空間とすることが考えられている。
例えば、浴槽内を水中照明したり、浴室の天井にダウンライトと呼ばれる照明器具を取付けて浴室内を快適空間とすることが実施されている。
しかしながら、浴室の出入口に取付ける浴室ドア、浴室折れ戸、浴室引違い戸などの浴室建具は、出入口を開閉するためのもので、前述した浴室内を快適空間とするための機能を備えていないものである。
すなわち、従来の浴室建具は建具枠に建具体を開閉自在に取付けたもので、その浴室建具を浴室内から入浴者が見た時には、建具枠を構成する上枠、下枠、縦枠の浴室側面及び、建具体を構成する上框、下框、縦框、面材の浴室側面が見えるが、その各浴室側面は装飾されたものではなく、入浴者が心と体を癒すことができる雰囲気ではない。
【０００５】
前述のことに鑑み浴室建具を照明器具、好ましくは発光ダイオードで照明することで、浴室内から入浴者が見たときに、浴室建具が明るくライトアップされて装飾された外観にでき、このことは浴室建具に限らず窓開口に取付ける引違い窓にも適用しても効果があり、建具一般に応用できる。
【課題を解決するための手段】
【０００６】
本発明は、建具枠に建具体を取付けた建具であって、
前記建具枠と建具体の少なくとも一方に照明器具を設けてライトアップできるようにしたことを特徴とする建具である。
【０００７】
本発明においては、框組体に面材を取付けた建具体とし、
前記框組体における面材よりも面外方向他側寄りに照明器具を、前記面材の面外方向他側面と対向して設け、
前記面材を光を透過するものとし、面外方向一側方から見た時に面材が、照明器具で、明るくライトアップされるようにしたことを特徴とする建具とすることができる。
このようにすれば、建具を面外方向一側方から見た時に装飾された外観となる。
したがって、浴室建具とした場合に、浴室からの外観が装飾されたものとすることで、浴室を入浴者の心と体を癒す空間とすることが可能である。
また、照明器具は面材よりも浴室と反対側に位置するので、浴室内の水等が照明器具にかかることがない。
しかも、照明器具の光は面材を透して見ることになるので、やさしい感じとなるから、癒やしの効果がより優れたものにできる。
【０００８】
本発明を、前述のようにした場合に、框組体は、面材を取付けた框組本体と、照明器具を取付けた補助框組体を備え、
前記框組本体に補助框組体を取付けて照明器具で面材を明るくライトアップできるようにすることが好ましい。
このようにすれば、框組本体を通常の框組体とし、補助框組体を照明器具取付用のアタッチメント枠体とすることで、通常の建具体に照明器具を後付けして照明器具を備えた建具体を簡単に製作できると共に、その補助框組体のみを取り外すことで照明器具を簡単に交替したり、点検できる。
【０００９】
前述のようにした場合には、補助框組体を構成する補助框体を、本体に取付けプレートを長手方向から挿入して取付けたものとし、その取付けプレートに照明器具を設けたものとするが好ましい。
このようにすれば、複数の照明部材をあらかじめ取付けプレートに設けておき、その取付けプレートを本体に取付けることができるので、複数の照明部材を簡単に取付けできる。
【００１０】
本発明においては、框組体に面材を取付けた建具体とし、
前記框組体に照明器具を、面材の面内方向の端面と対向して設け、
前記面材を光を透過するものとして面材の全体に亘って光が透過して面材を明るくライトアップできるようにしたことを特徴とする建具とすることができる。
このようにすれば、面材を面外方向一側方、他側方から見た時に明るくライトアップされるので、建具の面外方向一側方、他側方から見た時に装飾された外観となるから、窓開口に取付けた引違い窓などの窓用建具の場合に、屋内からの外観と屋外からの外観を装飾されたものとすることができる。
【００１１】
本発明を前述のようにした場合に、框組体は、框組本体と、この框組本体に取付けた補助框組体を備え、
この補助框組体に面材と照明器具を取付けたものとすることが好ましい。
このようにすれば、框組本体を構成する框本体と、補助框組体を構成する補助框体を別々に製作できるから、その製作が容易である。
また、この場合においても補助框組体を構成する補助框体を、本体に取付けプレートを長手方向から挿入して取付けたものとし、その取付けプレートに照明器具を取付けたものにできる。
【００１２】
本発明においては、前記建具枠の枠と前記建具体の框の少なくとも一方に照明器具を、前記枠と框の少なくとも他方を明るくライトアップできるように設けたことを特徴とする建具とすることができる。
このようにすれば、建具枠の枠と建具体の框の少なくとも一方が明るくライトアップされるから、装飾された外観とすることができる。
【００１３】
本発明を前述のようにした場合に、取付部材に照明器具を設け、
この取付部材を枠、框の少なくともいずれかに取付けることが好ましい。
このようにすれば、取付部材に照明器具を設け、その取付部材を枠、框に取付けることで照明器具で照明される建具とすることができる。
したがって、通常の建具を基準として簡単に製作できる。
【００１４】
このようにした場合には、取付部材を、本体に取付けプレートを長手方向から挿入して取付けたものとし、その取付けプレートに照明器具を設けることで、複数の照明器具を簡単に取付けできるようにできる。
【発明を実施するための最良の形態】
【００１５】
図１に示すように、建具枠１に建具体２を取付けて建具としてある。この建具枠１は上枠１０と下枠１１と左右の縦枠１２を方形状に連結してある。
前記建具体２は上框２０と下框２１と左右の縦框２２を方形状に連結した框組体２３と、この框組体２３に取付けした面材２４を備えている。
前記建具枠１が図２、図３に示すように、建物の開口部３に取付けられる。
前記建具は照明器具、例えば発光ダイオード４で照明され、この建具を面外方向一側方、例えば、室５から見た時に明るくライトアップされて装飾された外観となるようにしてある。
【００１６】
この実施の形態は、浴室建具としてあり、建物の開口部３が浴室の出入口で、室５が浴室で、この室５と反対側が脱衣室６である。
そして、浴室５から見た時に明るくライトアップされて装飾された外観となるので、入浴者は心と体を癒すことが可能である。
【００１７】
次に、前記発光ダイオード４で建具を照明する構造について説明する。
図１〜図３に示すように、框組体２３における面材２４よりも面外方向他側寄りに発光ダイオード４を、面材２４の面外方向他側面２４ａと対向して設け、この発光ダイオード４で面材２４の面外方向他側面２４ａを照明するようにしてある。この実施の形態では上框２０、下框２１、左右の縦框２２に沿って複数の発光ダイオード４が長手方向に間隔を置いて設け、面材２４の周囲全体を照明するようにしてある。なお、これに限ることはなくいずれか１つの框又は２つの框又は３つの框に設けるようにしても良い。
前記面材２４は樹脂プレート、ガラス板などで、光を透過するものである。
【００１８】
このようにすることで、建具を面外方向一側方（室５）から見ると、その面材２４の面外方向一側面２４ｂが明るくライトアップされて装飾された外観となる。
また、浴室建具の場合に浴室からの外観を装飾されたものとすることができるし、浴室内の水等が発行ダイオード４にかかることがない。
また、発光ダイオード４の光を直接見るのではなく、面材２４を透して見るので、やさしい感じとなるから、癒やしの効果がより優れたものにできる。
【００１９】
前記発光ダイオード４の取付けを具体的に説明する。
前記框組体２３は、面材２４を取付ける框組本体２３ａと、前記発光ダイオード４を取付ける補助框組体２３ｂを備え、前記框組本体２３ａに補助框組体２３ｂを取付けてある。好ましくは、框組本体２３ａの面内方向内側面２３ｃにおける面材２４よりも面外方向他側寄りに補助框組体２３ｂをビスなどで取付ける。
すなわち、上框２０、下框２１、左右の縦框２２を面内方向外側の框本体２０ａ，２１ａ，２２ａと面内方向内側の補助框体２０ｂ，２１ｂ，２２ｂを有するものとし、その各框本体２０ａ，２１ａ，２２ａが方形状に連結されて前記框組本体２３ａとすると共に、各補助框体２０ｂ，２１ｂ，２２ｂが方形状に連結されて前記補助框組体２３ｂとする。
【００２０】
前記各框本体２０ａ，２１ａ，２２ａは面材取付部２０ｃ，２１ｃ，２２ｃ、例えば凹溝を有し、その各面材取付部２０ｃ，２１ｃ，２２ｃに面材２４の周縁部がそれぞれ取付けてある。
前記各補助框体２０ｂ，２１ｂ，２２ｂは本体２５と、この本体２５に設けた取付けプレート２６を備え、その取付けプレート２６に発行ダイオード４が取付けてある。
このようであるから、取付けプレート２６に発光ダイオード４を取付けた後に、その取付けプレート２６を本体２５に設けることで、発光ダイオード４を簡単に補助框体２０ｂ，２１ｂ，２２ｂに取付けできる。
【００２１】
この実施の形態では、本体２５は矩形断面中空形状で、その対向した内面にプレート取付部２５ａが長手方向に亘って連続してそれぞれ有し、この対向した２つのプレート取付部２５ａ間に亘って取付けプレート２６を長手方向からスライドして挿入することで取付けできるようにしてある。
前記プレート取付部２５ａが凹部で、取付けプレート２６の端縁が凹部に嵌まり込むようにしてあるが、プレート取付部２５ａが突片で取付けプレート２６の端縁に凹部を有するようにしても良い。
また、本体２５には長手方向に連続したスリット状の開口などの光透過部２５ｂが発光ダイオード４と対向して有し、その発光ダイオード４の光を面材４に照射できるようにしてある。この光透過部２５ｂは穴でも良い。
なお、符号２５ａ，２５ｂは図２における上框２０の補助框体２０ｂの本体２５にのみ図示し、他の本体２５には省略してある。
【００２２】
前述のように、框組本体２３ａと補助框組体２３ｂで框組体２３とすれば、その框組本体２３ａを建具体の框組体とし、補助框組体２３ｂを発光ダイオード取付用のアタッチメント枠体として発光ダイオードユニットとすることができるので、通常の建具体２を基準として発光ダイオード４を備えた建具体を簡単に製作できると共に、通常の建具体２に発光ダイオード４を簡単に後付けできる。
また、建具体２はそのままとして補助框組体２３ｂを取り外すことで、発光ダイオード４を簡単に交替したり、点検できる。
【００２３】
前記発光ダイオード４は常時点灯でも良いが、スイッチで消灯できるようにすることが好ましい。
例えば、図３と図４に示すように一方の縦框２２の補助框体２２ｂの面外方向他側面にスイッチ３０と電池ボックス３１を取付け、その電池ボックス３１の電池３２を図５に示すように発光ダイオード４に接続する。３３は抵抗である。
なお、発光ダイオード４の電源としては家庭用の商用電源でも良く、この場合には電圧変換器を用いて１００ｖの商用電源を１２Ｖに変換する。
この電圧変換器３６は、図２に仮想線で示すように上枠１０に取付け、前述したスイッチ３０まで接続すれば良い。
【００２４】
前述の実施の形態では、框組本体２３ａと補助框組体２３ｂを別体としたが、一体でも良い。
また、框組体２３に取付けプレート２６をビスなどで取付けしたり、一体に設けても良い。
【００２５】
次に、建具を照明する他の実施の形態を説明する。
図６、図７に示すように、面材２４の面内方向の端面２４ｃと対向して発光ダイオード４を設け、面材２４を面内方向の端面２４ｃから光を照射することで面材２４の全体に亘って光が透過して明るくライトアップする。
このようにすれば、面材２４を面外方向他側面２４ａ、面外方向一側面２４ｂから見た時に明るくライトアップして装飾された外観となるので、建具を面外方向一側方（室５）から見た時及び面外方向他側方（室６）から見た時に装飾された外観となる。
したがって、この建具の照明の仕方であれば、窓開口に取付ける引違い窓、嵌め殺し窓などの窓用建具に適用することで、面外方向一側方（屋内）から見た時、面外方向他側方（屋外）から見た時に明るくライトアップされて装飾された外観とすることができる。
【００２６】
この実施の形態においても框組体２３は前述実施の形態と同様に、框組本体２３ａと、その框組本体２３ａの面内方向内側面２３ｃにビスなどで固着した補助框組体２３ｂで形成されている。
そして、補助框組体２３ｂに面材２４と発光ダイオード４が取付けてある。
【００２７】
前述のようであるから、框組本体２３ａを構成する框本体２０ａ，２１ａ，２２ａと補助框組体２３ｂを構成する補助框体２０ｂ，２１ｂ，２２ｂを別々に製作できるから、その製作が容易である。
すなわち、框本体２０ａ，２１ａ，２２ａはシール材を装着したりするので、そのシール材装着部を有する形状であるし、補助框体２０ｂ，２１ｂ，２２ｂは面材取付部と発光ダイオード取付部を有する形状であるから、両者が一体であるとそれらを有する複雑な形状のものを製作するので、製作が面倒である。
【００２８】
前記補助框組体２３ｂを構成する各補助框体２０ｂ，２１ｂ，２２ｂは前述の実施の形態と同様に、本体２５と取付けプレート２６を備えていると共に、その本体２５に、面材取付部２０ｃ，２１ｃ，２２ｃとプレート取付部２５ａ、光透過部２５ｂが形成してある。
そして、前記面材取付部２０ｃ（溝）の面内方向外側寄りにプレート取付部２５ａが位置し、発光ダイオード４が溝底部に形成した光透過部２５ｂを通して面材２４の面内方向端面２４ｃと対向する。
【００２９】
このようであるから、各補助框体２０ｂ，２１ｂ，２２ｂの本体２５に取付けプレート２６を長手方向からスライドして取付けることで発光ダイオード４を取付け、この後に各補助框体２０ｂ，２１ｂ，２２ｂを方形状に連結すると共に、面材２４を取付けして補助框組体２３ｂとする。
そして、この補助框組体２３ｂを框組本体２３ａに連結して建具体２とすることができるので、その建具体２の組立て作業が簡単である。
なお、補助框体２０ｂ，２１ｂ，２２ｂの本体２５に取付けプレート２６を取付けした後に、各補助框体２０ｂ，２１ｂ，２２ｂを各框本体２０ａ，２１ａ，２２ａにそれぞれ連結して上框２０、下框２１、縦框２２とする。
この後に、上框２０、下框２１、縦框２２を方形状に連結すると共に、面材２４を取付けて建具２とすることもできる。
【００３０】
この実施の形態においても前述と同様に発光ダイオード４がスイッチ３０で点灯、消灯操作される。
【００３１】
前述の各実施の形態では面材２４を照明するようにしたが、上枠１０、下枠１１、縦枠１２の少なくともいずれか１つに発光ダイオード４を設けて上框２０、下框２１、縦框２２の少なくともいずれか１つを照明するようにしても良い。
例えば、図３に示すように縦枠１２に発光ダイオード４を設けて縦框２２を照明する。
このようにすれば、室５から見た時（つまり、面外方向一側方から見た時）に、縦框２２が明るくライトアップされ、装飾された外観となる。
【００３２】
好ましくは、縦枠１２の室５と反対側の部分に発光ダイオード４を設け、縦框２２の面内方向外側面における面外方向の室５と反対側の部分を照明するようにする。
このようにすれば、室５から見た時に縦框２２の面内方向外側面部分が明るくライトアップされ、装飾された外観となる。
また、発光ダイオード４の光が直接見えないようになるので、やさしい感じの外観となる。
【００３３】
前記発光ダイオード４は図３に示すように、取付部材４０に取付け、この取付部材４０を縦枠１２にビス４１で固着して取付けてある。
具体的には図８に示すように、前記取付部材４０は前述の補助框体と同様に本体４２と取付けプレート４３を備え、その取付けプレート４３に発光ダイオード４が取付けてある。
この本体４２にプレート取付部４２ａと光透過部４２ｂが形成してあり、そのプレート取付部４２ａに取付けプレート４３が長手方向からスライドして挿入することで本体４２に取付けプレート４３が取付けられる。
前記本体４２の光透過部４２ｂと発光ダイオード４が対向する。この光透過部４２ｂは長手方向に連続したスリット状の開口でも良いし、発光ダイオード４と対向した穴でも良い。
【００３４】
前記縦枠１２の縦框２２と対向した部分に光透過部１２ａが設けてある。例えば、穴１２ｂに透明カバー１２ｃを設けて光透過部１２ａとしてある。
前記取付部材４０は縦枠１２に、その本体４２の光透過部４２ｂが縦枠１２の光透過部１２ａと対向して取付けられる。
前記縦枠１２の光透過部１２ａ（穴１２ｂ）周縁と本体４２との間が止水材４４で止水され、面外方向一側方からその縦枠１２の光透過部１２ａを通して水等が建物の開口部３側や発光ダイオード４側に浸入しないようにしてある。
このようであるから、浴室建具の場合に浴室５の水等が縦枠１２と縦框２２との間にかかったりした際に、その水等が縦枠１２の光透過部１２ａを通して建物の開口部３側や発光ダイオード４側に浸入することがない。
【００３５】
この実施の形態の縦枠１２は、面外方向一側寄りの中空部１２ｄと、面外方向他側寄りの板状の取付部１２ｅを有する断面形状で、その取付部１２ｅに光透過部１２ａが設けてあると共に、中空部１２ｄの面外方向他側面に本体４２のヒレ片４２ｃがビス４１で固着してある。
【００３６】
なお、図示は省略するが上枠１０又は下枠１１に発光ダイオード４を設けて上框２０又は下框２１を照明するようにしても良い。例えば、前述の取付部材４０を上枠１０又は下枠１１に前述と同様に取付ける。
また、上枠１０、下枠１１、縦枠１２にそれぞれ発光ダイオード４を設けて上框２０、下框２１、縦框２２を照明するようにしても良いし、上枠１０、下枠１１、縦枠１２のいずれか２つに発光ダイオード４を設けても良い。
すなわち建具枠１の枠に発光ダイオード４を設けて建具体２の框を照明するようにすればよい。
【００３７】
また、前述の実施の形態とは反対に上框２０、下框２１、縦框２２の少なくともいずれか１つに発光ダイオード４を設けて上枠１０、下枠１１、縦枠１２の少なくともいずれか１つを照明するようにしても良い。
例えば、図２に示すように下框２１に発光ダイオード４を設けて下枠１１を照明する。
このようにすれば、室５から見た時（つまり、面外方向一側方から見た時）に、下枠１１が明るくライトアップされ、装飾された外観となる。
【００３８】
前記発光ダイオード４は図２に示すように、前述の図３に示すと同様の取付部材４０に取付け、この取付部材４０を下框２１に取付けてある。
具体的には、図９に示すように、取付部材４０は本体４２と取付けプレート４３を備え、その取付けプレート４３を本体４２のプレート取付部４２ａに長手方向からスライドして取付けてある。
この実施の形態では取付部材４０（本体４２）は下框２１の面外方向外側面（つまり、下面）２１ｂに取付けてあり、発光ダイオード４で下枠１１を直接照明するようにしてあるので、本体４２の光透過部４２ｂの周縁にプレート４５を止水して取付け、このプレート４５の穴４５ａに透明カバー４６を取付けることで発光ダイオード４側に水等が浸入しないように止水処理してある。
図９において、下框２１にスイッチ３０が取付けてあり、前述した図４、図５と同様にして発光ダイオード４が点燈、消燈操作される。
【００３９】
なお、図示は省略するが上框２０又は縦框２２に発光ダイオード４を設けて上枠１０又は縦枠１２を照明するようにしても良い。例えば、前述の取付部材４０を上框２０又は縦框２２に前述と同様に取付ける。
また、上框２０、下框２１、縦框２２にそれぞれ発光ダイオード４を設けて上枠１０、下枠１１、縦枠１２を照明するようにしても良いし、上框２０、下框２１、縦框２２のいずれか２つに発明ダイオード４を設けても良い。
すなわち、建具体２の框に発光ダイオード４を設けて建具枠１の枠を照明するようにすれば良い。
【００４０】
なお、図示は省略するが前述と同様にして建具枠１の枠と建具体２の框に発光ダイオード４をそれぞれ設けて框、枠をそれぞれ照明するようにしても良い。
また、前述の照明器具は発光ダイオード４が好ましいが、電球や蛍光灯などを用いても良い。
【００４１】
図２、図３及び図６、図７には面材２４を明るくする発光ダイオード４と、下框１１、縦框１２を明るくする発光ダイオード４がそれぞれ図示してあるが、面材２４のみを明るくしたり、下框１１、縦框１２のみを明るくすることもできる。
【図面の簡単な説明】
【００４２】
【図１】本発明の実施の形態を示す浴室建具の浴室側正面図である。
【図２】図１の縦断面図である。
【図３】図１の横断面図である。
【図４】スイッチ部分の側面図である。
【図５】発光ダイオードのスイッチ部分の説明図である。
【図６】第２の実施の形態を示す縦断面図である。
【図７】第２の実施の形態を示す横断面図である。
【図８】図３のＡ部拡大図である。
【図９】図２のＢ部拡大図である。
【符号の説明】
【００４３】
１…建具枠、２…建具体、４…発光ダイオード（照明器具）、１０…上枠、１１…下枠、１２…縦枠、２０…上框、２１…下框、２２…縦框、２３…框組体、２３ａ…框組本体、２３ｂ…補助框組体、２４…面材、２５…本体、２６…取付けプレート、４０…取付部材、４２…本体、４３…取付けプレート。
【図１】
2007321344.tif 000003
【図２】
2007321344.tif 000004
【図３】
2007321344.tif 000005
【図４】
2007321344.tif 000006
【図５】
2007321344.tif 000007
【図６】
2007321344.tif 000008
【図７】
2007321344.tif 000009
【図８】
2007321344.tif 000010
【図９】
2007321344.tif 000011